(57)【要約】  本発明は、エネルギー情報提供装置に関し、本発明によるエネルギー情報提供装置は、収集されたエネルギー関連情報を用いた機器の分類に応じて、統合エネルギー情報から抽出された機器の機器別エネルギー情報の入力を受けるエネルギー情報入力部、機器別エネルギー情報を用いて機器のエネルギー使用情報を生成するエネルギー情報処理部、および生成されたエネルギーユーザ情報をユーザ端末に送信するエネルギー情報送信部を含む。本発明によれば、エネルギー情報提供者のクラウドデータ処理、管理によってデータ安定性が向上し、ソフトウェア、データベースのアップグレードによって持続的に性能を向上させることができる。さらに、ユーザは、専門人材によるクラウドベースのエネルギー情報の管理によりビッグデータ処理や情報解釈に対する専門知識の習得と別途の管理人材の常駐に対する負担も軽減することができる。【選択図】図１
2016532196.tif 000002
【特許請求の範囲】
【請求項１】
収集されたエネルギー関連情報を用いた機器の分類に応じて、統合エネルギー情報から抽出された前記機器の機器別エネルギー情報の入力を受けるエネルギー情報入力部、
前記機器別エネルギー情報を用いて前記機器のエネルギー使用情報を生成するエネルギー情報処理部、および
前記生成されたエネルギーユーザ情報をユーザ端末に送信するエネルギー情報送信部を含むことを特徴とするエネルギー情報提供装置。
【請求項２】
前記機器は前記エネルギー関連情報を用いるサンプリング過程によって前記機器の予め決定された属性に応じて分類され、
前記機器別エネルギー情報は複数の機器の組み合わせに対する電力エネルギー総量から前記機器の分類に応じて抽出されることを特徴とする、請求項１に記載のエネルギー情報提供装置。
【請求項３】
前記機器はエネルギー使用時に前記機器の識別のための識別コードを前記エネルギー関連の情報収集装置に送信し、
前記エネルギー関連の情報収集装置は前記機器を識別コードに応じて分類することを特徴とする、請求項１に記載のエネルギー情報提供装置。
【請求項４】
前記エネルギー情報処理部は、前記機器別エネルギー情報を用いて前記エネルギーを用いる複数の機器で構成されたグループ別エネルギー使用情報を生成することを特徴とする、請求項１に記載のエネルギー情報提供装置。
【請求項５】
前記エネルギー情報処理部は、前記機器別エネルギー情報を用いて前記機器の電力使用パターンの変化を認知して機器動作状態に対する情報を生成することを特徴とする、請求項１に記載のエネルギー情報提供装置。
【請求項６】
前記エネルギー情報処理部は、前記機器別エネルギー情報を用いて前記機器の各々または前記機器の組み合わせによって形成されるユーザ行動パターンを認識し、
前記認識された行動パターンを通じて前記エネルギー使用情報を生成することを特徴とする、請求項１に記載のエネルギー情報提供装置。
【請求項７】
前記エネルギー情報提供装置は前記エネルギー関連情報、前記統合エネルギー情報および前記機器別エネルギー情報をデータベース化して格納するエネルギー情報格納部をさらに含み、
前記エネルギー情報処理部は前記エネルギー情報格納部から伝達された前記エネルギー関連情報、前記統合エネルギー情報および前記機器別エネルギー情報を用いて前記エネルギー使用情報を生成することを特徴とする、請求項１に記載のエネルギー情報提供装置。
【請求項８】
エネルギー関連情報を収集し、収集されたエネルギー関連情報を用いて機器を分類して統合エネルギー情報から前記機器の機器別エネルギー情報を抽出するエネルギー関連の情報収集装置、
前記抽出された機器別エネルギー情報を用いて前記機器のエネルギー使用情報を生成してユーザ端末に送信するエネルギー情報提供装置、および
前記エネルギー使用情報を受信してユーザに表示するユーザ端末を含むことを特徴とするエネルギー情報処理システム。
【請求項９】
収集されたエネルギー関連情報を用いた機器の分類に応じて、統合エネルギー情報から抽出された前記機器の機器別エネルギー情報を用いて生成された前記機器のエネルギー使用情報を受信する受信部、および
前記受信されたエネルギー使用情報をユーザに表示するディスプレイ部を含むことを特徴とするユーザ端末。
【請求項１０】
エネルギー関連情報を収集するエネルギー関連情報収集部、
前記収集されたエネルギー関連情報を用いて機器を分類して統合エネルギー情報から前記機器の機器別エネルギー情報を抽出する機器別エネルギー情報抽出部、および
前記抽出された機器別エネルギー情報をエネルギー使用情報を提供するためのエネルギー情報提供装置に送信する送信部を含むことを特徴とするエネルギー関連の情報収集装置。
【請求項１１】
前記機器別エネルギー情報抽出部は、収集される電圧、電流、電力情報を含む基本エネルギー情報と、前記電圧、電流自体の高調波、ノイズ、過度状態および正常状態の情報を含む付加エネルギー情報を用いるサンプリング過程によって前記機器の予め決定された属性に応じて前記機器を分類することを特徴とする、請求項１０に記載のエネルギー関連の情報収集装置。
【請求項１２】
前記機器はエネルギー使用時に前記機器の識別のための識別コードを前記エネルギー関連の情報収集装置に送信し、
前記機器別エネルギー情報抽出部は前記機器を識別コードに応じて分類することを特徴とする、請求項１０に記載のエネルギー情報提供装置。
【請求項１３】
収集されたエネルギー関連情報を用いた機器の分類に応じて、統合エネルギー情報から抽出された前記機器の機器別エネルギー情報の入力を受けるステップ、
前記機器別エネルギー情報を用いて前記機器のエネルギー使用情報を生成するステップ、および
前記生成されたエネルギーユーザ情報をユーザ端末に送信するステップを含むことを特徴とするエネルギー情報提供方法。
【請求項１４】
前記機器は前記エネルギー関連情報を用いるサンプリング過程によって前記機器の予め決定された属性に応じて分類され、
前記機器別エネルギー情報は複数の機器の組み合わせに対する電力エネルギー総量から前記機器の分類に応じて抽出されることを特徴とする、請求項１３に記載のエネルギー情報提供方法。
【請求項１５】
前記機器はエネルギー使用時に前記機器の識別のための識別コードを前記エネルギー関連の情報収集装置に送信し、
前記エネルギー関連の情報収集装置は前記機器を識別コードに応じて分類することを特徴とする、請求項１４に記載のエネルギー情報提供方法。
【発明の詳細な説明】
【技術分野】
【０００１】
本発明はエネルギー情報提供装置に関し、より詳しくは、クラウドベースのエネルギー情報を処理する装置に関する。
【背景技術】
【０００２】
エネルギーモニタリング装置を介して収集されたエネルギー情報の処理において既に用いられてきた主な方法は、エネルギー情報が収集される空間に自体的なローカルサーバを構築するか、または既に設置されたコンピュータなどに専用ソフトウェアを別途にインストールし、それをローカル管制センターのディスプレイ画面またはコンピュータのモニター、その他の専用ゲートウェイおよびディスプレイ（ＩＨＤなど）装置を介して情報を表示する。
【先行技術文献】
【特許文献】
【０００３】
【特許文献１】韓国登録特許第１０−１０６８８６２号公報
【０００４】
先行文献（韓国登録特許第１０−１０６８８６２号公報）は、電気、水道、ガス、冷房・暖房などのための各センサを同期化させ、建物で消費されるエネルギーを用途別にモニタリングしてデータ化および分析して供給することによって、エネルギーを最も効率的に管理できるモニタリングを通じたリアルタイムエネルギー管理システムを開示している。
但し、このようなシステムの場合、大容量のエネルギー情報に対する処理および管理のためのソフトウェアとデータベースのアップデートに限界点が存在し、ユーザの専門知識の限界性のため、エネルギー情報を通じた能動的なエネルギー節減効果の縮小と全ての装置に対する設備の初期投資およびメンテナンスに応じた付帯費用の増加による負担が増大する。
【発明の概要】
【発明が解決しようとする課題】
【０００５】
上述した技術的課題を解決するために、本発明は、エネルギーモニタリング装置で収集されたエネルギー情報をエネルギーＩＴ専門サービス企業のクラウドプラットフォームに伝送し、それを専門人材による持続的なデータ処理および管理によってユーザの負担を減らし、サービス事業者は各々個別ユーザのエネルギー情報を情報表示サイトまたはアプリケーション、Ｃａｂｌｅ  ＴＶ、ＩＰＴＶ、ＶＡＮ  ＰＯＳなどに伝送することにより、ユーザは単にユーザのスマート機器を介した接続によりリアルタイムでエネルギー情報を確認できるだけでなく、サービス事業者から提供する文字メッセージと字幕、エネルギー専用チャネルなどを介して伝送される専門的なエネルギー節減コンサルティングに容易にアプローチできるクラウドベースのエネルギー情報処理に対するディスプレイ表示方法を提案する。
【課題を解決するための手段】
【０００６】
前記技術的課題を解決するための本実施形態によるエネルギー情報提供装置は、収集されたエネルギー関連情報を用いた機器の分類に応じて、統合エネルギー情報から抽出された前記機器の機器別エネルギー情報の入力を受けるエネルギー情報入力部、前記機器別エネルギー情報を用いて前記機器のエネルギー使用情報を生成するエネルギー情報処理部、および前記生成されたエネルギーユーザ情報をユーザ端末に送信するエネルギー情報送信部を含む。
【０００７】
前記機器は前記エネルギー関連情報を用いるサンプリング過程によって前記機器の予め決定された属性に応じて分類され、前記機器別エネルギー情報は複数の機器の組み合わせに対する全体電力エネルギー情報から前記機器の分類に応じて抽出されることが好ましい。
【０００８】
前記機器はエネルギー使用時に前記機器の識別のための識別コードを前記エネルギー関連の情報収集装置に送信し、前記エネルギー関連の情報収集装置は前記機器を識別コードに応じて分類することが好ましい。
【０００９】
前記エネルギー情報処理部は、前記機器別エネルギー情報を用いて前記エネルギーを用いる複数の機器で構成されたグループ別エネルギー使用情報を生成することが好ましい。
【００１０】
前記エネルギー情報処理部は、前記機器別エネルギー情報を用いて前記機器の電力使用パターンの変化を認知して機器動作状態に対する情報を生成することが好ましい。
【００１１】
前記エネルギー情報処理部は、前記機器別エネルギー情報を用いて前記機器の各々または前記機器の組み合わせによって形成されるユーザ行動パターンを認識し、前記認識された行動パターンを通じて前記エネルギー使用情報を生成することが好ましい。
【００１２】
前記エネルギー情報提供装置は前記エネルギー関連情報、前記統合エネルギー情報および前記機器別エネルギー情報をデータベース化して格納するエネルギー情報格納部をさらに含み、前記エネルギー情報処理部は前記エネルギー情報格納部から伝達された前記エネルギー関連情報、前記統合エネルギー情報および前記機器別エネルギー情報を用いて前記エネルギー使用情報を生成することが好ましい。
【００１３】
前記技術的課題を解決するための本実施形態によるエネルギー情報処理システムは、エネルギー関連情報を収集し、収集されたエネルギー関連情報を用いて機器を分類して統合エネルギー情報から前記機器の機器別エネルギー情報を抽出するエネルギー関連の情報収集装置、前記抽出された機器別エネルギー情報を用いて前記機器のエネルギー使用情報を生成してユーザ端末に送信するエネルギー情報提供装置、および前記エネルギー使用情報を受信してユーザに表示するユーザ端末を含む。
【００１４】
前記技術的課題を解決するための本実施形態によるユーザ端末は、収集されたエネルギー関連情報を用いた機器の分類に応じて、前記分類に応じて統合エネルギー情報から抽出された前記機器の機器別エネルギー情報を用いて生成された前記機器のエネルギー使用情報を受信する受信部、および前記受信されたエネルギー使用情報をユーザに表示するディスプレイ部を含む。
【００１５】
前記技術的課題を解決するための本実施形態によるエネルギー関連の情報収集装置は、エネルギー関連情報を収集するエネルギー関連情報収集部、前記収集されたエネルギー関連情報を用いて機器を分類して統合エネルギー情報から前記機器の機器別エネルギー情報を抽出する機器別エネルギー情報抽出部、および前記抽出された機器別エネルギー情報をエネルギー使用情報を提供するためのエネルギー情報提供装置に送信する送信部を含む。
【発明の効果】
【００１６】
本発明によれば、エネルギー情報提供者のクラウドデータ処理、管理によってデータ安定性が向上し、ソフトウェア、データベースのアップグレードによって持続的に性能を向上させることができる。さらに、ユーザは、エネルギーモニタリング装置の他、全ての装置および設備に対する初期投資およびメンテナンス費用に対する負担を無くすだけでなく、専門人材によるクラウドベースのエネルギー情報の管理によりビッグデータ処理や情報解釈に対する専門知識の習得と別途の管理人材の常駐に対する負担も軽減することができる。また、エネルギーＩＴ専門サービス機関を介したリアルタイムエネルギー情報と専門的なエネルギー節減コンサルティングが提供されることにより、それを活用したエネルギー情報ベースのエネルギー節減市場に能動的で自発的に参加することができる。
【図面の簡単な説明】
【００１７】
【図１】本発明の一実施形態によるエネルギー情報提供システムを示す概念図である。
【図２】本発明の一実施形態によるエネルギー関連の情報収集装置を示すブロック図である。
【図３】本発明の一実施形態によるエネルギー情報提供装置を示すブロック図である。
【図４】本発明の一実施形態によるユーザ端末を示すブロック図である。
【図５】本発明の一実施形態によるエネルギー情報提供方法を示すフローチャートである。
【発明を実施するための形態】
【００１８】
以下の内容は単に発明の原理を例示する。よって、当業者であれば、たとえ本明細書に明確に説明または図示されていないと言えども、発明の原理を実現し、発明の概念と範囲に含まれた様々な装置を発明することができるであろう。また、本明細書に列挙された全ての条件付きの用語および実施形態は原則的に発明の概念が理解できるようにするための目的にのみ明白に意図され、このように特別に列挙された実施形態および状態に制限的ではないものとして理解しなければならない。
上述した目的、特定および長所は添付された図面と関連した次の詳細な説明を通じてより明らかになるものであり、それにより、発明が属する技術分野で通常の知識を有した者が発明の技術的思想を容易に実施することができるものである。また、発明を説明するにおいて発明と関連した公知技術に関する具体的な説明が発明の要旨を不要に濁す恐れがあると判断される場合にはその詳細な説明を省略する。以下、添付した図面を参照して発明による好ましい一実施形態を詳細に説明する。
【００１９】
図１は、本発明の一実施形態によるエネルギー情報提供システムを示す概念図である。
図１を参照すれば、本実施形態によるエネルギー情報提供システムは、エネルギー関連の情報収集装置２００、エネルギー情報提供装置１００、およびユーザ端末３００を含む。
【００２０】
本実施形態において、エネルギー関連の情報収集装置２００は、クラウドコンピューティング環境で収集されたエネルギー関連情報を用いた機器の分類に応じて、統合エネルギー情報から抽出された機器の機器別エネルギー情報をエネルギー情報提供装置１００に送信する。
【００２１】
図２を参照すれば、エネルギー関連の情報収集装置２００は、エネルギー関連情報収集部２１０、エネルギー情報抽出部２２０、および送信部２３０を含む。
エネルギー関連情報収集部２１０はエネルギー関連情報を収集する。すなわち、ＡＭＲ（Ａｕｔｏｍａｔｉｃ  ｍｅｔｅｒ  ｒｅａｄｉｎｇ：自動メーター読み取り）、ＡＭＩ（Ａｄｖａｎｃｅｄ  Ｍｅｔｅｒｉｎｇ  Ｉｎｆｒａｓｔｒｕｃｔｕｒｅ：先進測定インフラストラクチャー）またはＣＴ（Ｃｕｒｒｅｎｔ  Ｔｒａｎｓｆｏｒｍｅｒ：電流変換器）／ＰＴ（Ｐｏｔｅｎｔｉａｌ  Ｔｒａｎｓｆｏｒｍｅｒ：ポテンシャル変換器）などを活用して電圧、電流などを測定する装置であり、建物内の電力分電盤の引き込みまたはフィーダーブランチ（Ｆｅｅｄｅｒ  Ｂｒａｎｃｈ）に設置された電力量計、スマートメーター、ＣＴ／ＰＴなどを介して電圧、電流の情報を高速サンプリングによって固有の波形を直接測定して格納する。
【００２２】
エネルギー情報抽出部２２０は、収集されたエネルギー関連情報を通じた電力供給および消耗状態と電力分析に対する情報を抽出する。該装置はそのためにアナログ−デジタル変換器、フラッシュメモリ、マイクロプロセッサまたはデジタルシグナルプロセッサなどを搭載しており、測定された電圧、電流波形からエネルギー情報を抽出するための埋め込みシステムアルゴリズムを含む。
【００２３】
本実施形態において、エネルギー情報を抽出するための埋め込みシステムアルゴリズムは、収集されたエネルギー関連情報を用いて機器を分類して統合エネルギー情報から機器の機器別エネルギー情報を抽出する。
【００２４】
より詳しくは、ＡＭＩやＡＭＲのような電力量計または分電盤の全体または分電盤の回路分岐別に設置されたエネルギーモニタリング装置に高速のデータサンプリング機能を追加して機器を分類する。
【００２５】
さらに、本実施形態において、エネルギー関連情報は、基本的に収集される電圧、電流、有効電力、無効電力、瞬時電力、力率、周波数などの情報と共に、電圧、電流自体の高調波、ノイズ、過度状態および正常状態などの付加情報を含み、エネルギー情報抽出部２２０は、高速サンプリングによって追加的に活用できる情報を活用して機器を分類する。
【００２６】
統合エネルギー情報は機器別エネルギー情報を抽出するための対象情報であり、本実施形態によるエネルギー情報提供システムで管理する単位（例えば、建物や地域など）に応じて決定されることができる。すなわち、単位に対して測定された全体測定電力エネルギー情報から出発して固有の特性を有する機器を順次分離して最終の複数の個別機器を分類する。
【００２７】
または、今後個別電気機器から機器を認識できるコードを電力エネルギー使用機器内に含ませて、エネルギー使用時ごとにＡＭＩやＡＭＲ、分電盤／回路分岐などのエネルギーモニタリング装置に該機器のＯＮ／ＯＦＦ以外の動作モード、異常モードなどのエネルギー情報コードを通信を介して伝送し、それを活用したエネルギーモニタリング装置内で測定される全体電力エネルギー情報から個別機器を別途の追加的な個別ハードウェア機器なしに能動的に分類して、個別機器の組み合わせによる全体測定電力エネルギー情報から個別機器のエネルギー情報を抽出する。
【００２８】
送信部２３０は、装置内に設置された有／無線通信装置と該当ネットワークを介して測定されて加工されていないデータと電力分析アルゴリズムによって信号処理された各種エネルギー情報を後述するエネルギー情報提供装置１００に伝送する。
【００２９】
本実施形態において、エネルギー情報提供装置１００は、抽出された機器別エネルギー情報を用いて機器のエネルギー使用情報を生成してユーザ端末３００に送信し、クラウドベースの開放型エネルギーＩＴプラットフォーム（ＯＥＩＰ、Ｏｐｅｎ  Ｅｎｅｒｇｙ  ＩＴ  Ｐｌａｔｆｏｒｍ）で実現されることができる。図３を参照すれば、エネルギー情報提供装置１００は、エネルギー情報入力部１１０、エネルギー情報格納部１２０、エネルギー情報処理部１３０、およびエネルギー情報送信部１４０を含む。
【００３０】
エネルギー情報入力部１１０は、収集されたエネルギー関連情報を用いて機器を分類し、分類に応じて統合エネルギー情報から抽出された機器の機器別エネルギー情報の入力を受ける。すなわち、複数のエネルギー関連の情報収集装置２００から伝送されるエネルギー情報を効果的にクラウドプラットフォームにおいて収容すると同時に、エネルギー関連の情報収集装置２００の正常的な通信有無、機器故障などを監視し、順次的または並列的にエネルギー関連の情報収集装置２００から伝達された電圧、電流波形およびエネルギー情報をエネルギー情報格納部１２０に伝達する。
【００３１】
エネルギー情報格納部１２０は、エネルギー関連情報、統合エネルギー情報および機器別エネルギー情報をデータベース化して格納する。すなわち、エネルギー情報入力部１１０を介して収集された様々な情報を事前に設計されたデータベースのデータマップの構成に応じて適切に格納し、重要データをバックアップする。該データはエネルギー関連の専門家グループが主にそれを活用して特定エネルギー関連の情報収集装置２００が設置された建物内で発生するエネルギー発電／消耗活動の現況、効用性、効率性の分析などを行う。
【００３２】
また、該データベースの情報は、エネルギー関連の情報収集装置２００が設置された一般のエネルギー非専門家グループの使用顧客が容易に理解してエネルギー節減活動に積極的に参加できるように、容易で有用なエネルギー情報提供目的のエネルギー情報処理部１３０にリンクされる。
【００３３】
エネルギー情報処理部１３０は、機器別エネルギー情報を用いて機器のエネルギー使用情報を生成する。すなわち、データベースでリンクされたデータに基づいて、エネルギー関連の非専門家グループのユーザに直接に有用なリアルタイムの全体電力使用量および機器別の電力使用量、累積電力使用量などの情報抽出と、エネルギーＩＴ専門サービス事業者のようなエネルギー専門家グループのデータ解釈および分析アルゴリズムによって生成された互いに類似するグループ間の電力使用量の比較、機器故障、エネルギー節減方案、行動パターンなどの各種高級化情報への加工を行う。
【００３４】
本実施形態によるエネルギー情報処理部１３０で生成されるエネルギー使用情報は、同種業界、類似建物などの互いに類似するグループ間のエネルギー消耗量に対する情報を含む。すなわち、エネルギープラットフォームを保有したサービス専門事業者の統合的なエネルギー情報管理によって個人情報が流出されることなく統計的な情報を容易に提供することができ、それによってユーザ間の自発的な競争要素を生成することができるのでエネルギー節減に効率的なツールとして活用することができる。
【００３５】
また、エネルギー使用情報は機器故障および異常有無の検知情報を含む。すなわち、個別機器の電力使用パターン特性の急変的な変化認知によって機器故障および異常有無を検知し、それによって事前の機器修理および新規機器の導入に応じた経済性の分析に活用することができるので高級化情報をコンサルティングすることができる。さらに、エネルギー使用情報は、同種モデル間の相互比較によるユーザの機器選定に有用であったり、機器の変更時点を知らせる情報と、政策を決定できる政府機関に全体電力エネルギー消耗において特定個別機器のうちどの機器に対する高効率エネルギー政策を樹立するのが良いかに対する追加情報も含んだりすることができる。
【００３６】
また、エネルギー情報処理部１３０は、付加情報として個別機器の動作有無や個別機器の組み合わせによって形成されるユーザ固有の行動パターンを推定し、それによってユーザの主な活動時間に特定場所にエネルギー情報に対する高級化情報を生成してコンサルティングすることによってエネルギー節減のための行動パターンの変動を効果的に誘導することができる。さらに、老人および障害者など身体弱者の個別機器の使用パターンでの変化によって推定できる高級化情報を活用して身体弱者の身辺保護の補助手段として活用されることもできる。
【００３７】
エネルギー情報送信部１４０は、以上で生成された各種のユーザに親和的なエネルギー情報を様々なユーザ端末３００から要求するサービスモデルに好適な従属的または連携サービスの実行のために様々な形態のビッグデータを有／無線ネットワークをベースに順次的または並列的に伝送し、該情報の伝送に応じた正常的な通信有無などを確認する。
【００３８】
ユーザ端末３００はエネルギー使用情報を受信してユーザに表示する。図４を参照すれば、本実施形態によるユーザ端末３００は、受信部３１０、ディスプレイ部３２０、および制御部３３０を含む。
【００３９】
受信部３１０は、収集されたエネルギー関連情報を用いて機器を分類し、分類に応じて統合エネルギー情報から抽出された機器の機器別エネルギー情報を用いて生成された機器のエネルギー使用情報を受信する。
【００４０】
ディスプレイ部３２０は受信されたエネルギー使用情報をユーザに表示する。本実施形態において、ディスプレイ部３２０がエネルギー使用情報を表示する場合に、制御部３３０は、エネルギー関連の情報収集装置２００が設置された建物内でユーザが好んで受けようとするサービスモデルに応じて、容易で有用なエネルギー情報をリアルタイムで伝達するためのエネルギー非専門家グループに親和的なユーザインターフェースを実現するユーザアプリケーションを搭載することができる。
【００４１】
すなわち、本実施形態において、エネルギー使用情報を提供するためのサービスモデルとして、ウェブ支援サービス、アプリケーション支援サービス、文字メッセージ支援サービス、Ｃａｂｌｅ  ＴＶ／ＩＰＴＶ支援サービス、ＶＡＮ／ＰＯＳ支援サービスが提供されることができる。
【００４２】
アプリケーション支援サービスは、ユーザが携帯用スマート機器の環境下で専用アプリケーション接続を介したアカウント／暗号の設定によりエネルギーＩＴ専門事業者がリアルタイムでエネルギー情報およびエネルギー節減コンサルティング情報を表示するユーザインターフェースディスプレイサービスの提供モデルである。
【００４３】
文字メッセージ支援サービスは、ユーザとの契約によってイベント状況の発生時ごとにエネルギーＩＴ専門事業者が特定エネルギー情報およびエネルギー節減コンサルティング情報を表示するユーザインターフェースディスプレイサービスの提供モデルである。Ｃａｂｌｅ  ＴＶ／ＩＰＴＶ支援サービスは、ユーザが機器を活用する間、エネルギーＩＴ専門事業者がリアルタイムで字幕サービスまたはイベント状況ポップアップを介してエネルギー情報とエネルギー節減コンサルティング情報を提供し、ユーザがそれに反応してユーザ操作を実行する場合、エネルギー関連の専用チャネルを介してユーザインターフェースディスプレイサービスを提供するモデルである。
【００４４】
すなわち、本実施形態において、ユーザ端末３００は、クラウドをベースにするエネルギー情報表示として従来のウェブ、アプリケーションを介したエネルギー情報へのアプローチ以外に、さらにＣａｂｌｅ  ＴＶ、ＩＰＴＶ、ＶＡＮ  ＰＯＳなどを介した様々なユーザに親和的なディスプレイ機器でのエネルギー情報の表示が可能であり、知能化および自動化されたエネルギー節減コンサルティングのためのＤＢおよびシステムを設計／構築してユーザ中心のエネルギー節減コンサルティング／ソリューションの内容を簡略化／図形化して提示することにより、モニタリングによる情報提供を越えてユーザ自らが主導的にエネルギー節減活動に参加できるように誘導することができる。
【００４５】
さらに、総エネルギー使用量に対する料金納付のレベルを越えてユーザ自らがエネルギー節減活動を行うことができるように仮想シミュレーション、エネルギー節減率に応じたゲームルールの適用などの様々なアプリケーション／サービスを提供して自発的な参加と行動パターンの変更を誘導することができる。
【００４６】
以下、上述した実施形態によるエネルギー情報提供装置１００で行われるエネルギー情報提供方法について説明する。図５を参照すれば、本実施形態によるエネルギー情報提供方法は、エネルギー情報の入力ステップ（Ｓ１００）、エネルギー使用情報の生成ステップ（Ｓ２００）、およびエネルギー使用情報の送信ステップ（Ｓ３００）を含む。
【００４７】
エネルギー情報の入力ステップ（Ｓ１００）は、エネルギー情報入力部１１０が、収集されたエネルギー関連情報を用いて機器を分類し、分類に応じて統合エネルギー情報から抽出された機器の機器別エネルギー情報の入力を受ける。
【００４８】
エネルギー使用情報の生成ステップ（Ｓ２００）は、エネルギー情報処理部１３０が、機器別エネルギー情報を用いて機器のエネルギー使用情報を生成する。
エネルギー使用情報の送信ステップ（Ｓ３００）は、エネルギー情報送信部１４０が、生成されたエネルギーユーザ情報をユーザ端末３００に送信する。
【００４９】
一方、本発明のエネルギー関連の情報収集方法は、コンピュータが読める記録媒体にコンピュータが読めるコードで実現することができる。コンピュータが読める記録媒体はコンピュータシステムによって読み込み可能なデータが格納される全種類の記録装置を含む。
【００５０】
コンピュータが読める記録媒体の例としてはＲＯＭ、ＲＡＭ、ＣＤ−ＲＯＭ、磁気テープ、フロッピーディスク（登録商標）、光データ格納装置などが挙げられ、また、コンピュータが読める記録媒体はネットワークで連結されたコンピュータシステムに分散して、分散方式でコンピュータが読めるコードが格納されて実行されることができる。そして、本発明を実現するための機能的な（ｆｕｎｃｔｉｏｎａｌ）プログラム、コードおよびコードセグメントは本発明が属する技術分野のプログラマーによって容易に推論できる。
【００５１】
以上の説明は本発明の技術思想を例示的に説明したものに過ぎず、本発明が属する技術分野で通常の知識を有した者であれば、本発明の本質的な特性から逸脱しない範囲内で様々な修正、変更および置換が可能である。
【００５２】
したがって、本発明に開示された実施形態および添付された図面は本発明の技術思想を限定するためのものではなく説明するためのものであり、このような実施形態および添付された図面によって本発明の技術思想の範囲が限定されるものではない。本発明の保護範囲は下記の請求範囲によって解釈しなければならず、それと同等な範囲内にある全ての技術思想は本発明の権利範囲に含まれるものとして解釈しなければならない。
【図１】
2016532196.tif 000003
【図２】
2016532196.tif 000004
【図３】
2016532196.tif 000005
【図４】
2016532196.tif 000006
【図５】
2016532196.tif 000007
【手続補正書】
【提出日】平成28年1月29日(2016.1.29)
【手続補正１】
【補正対象書類名】特許請求の範囲
【補正対象項目名】全文
【補正方法】変更
【補正の内容】
【特許請求の範囲】
【請求項１】
収集されたエネルギー関連情報を用いた機器の分類に応じて、統合エネルギー情報から抽出された前記機器の機器別エネルギー情報の入力を受けるエネルギー情報入力部、  前記機器別エネルギー情報を用いて前記機器のエネルギー使用情報を生成するエネルギー情報処理部、および  前記生成されたエネルギー使用情報をユーザ端末に送信するエネルギー情報送信部を含むことを特徴とするエネルギー情報提供装置。
【請求項２】
前記機器は前記エネルギー関連情報を用いるサンプリング過程によって前記機器の予め決定された属性に応じて分類され、  前記機器別エネルギー情報は複数の機器の組み合わせに対する電力エネルギー総量から前記機器の分類に応じて抽出されることを特徴とする、請求項１に記載のエネルギー情報提供装置。
【請求項３】
前記機器はエネルギー使用時に前記機器の識別のための識別コードを、前記エネルギー関連情報を収集する情報収集装置に送信し、  前記情報収集装置は前記機器を識別コードに応じて分類することを特徴とする、請求項１に記載のエネルギー情報提供装置。
【請求項４】
前記エネルギー情報処理部は、前記機器別エネルギー情報を用いてエネルギーを用いる複数の機器で構成されたグループ別エネルギー使用情報を生成することを特徴とする、請求項１に記載のエネルギー情報提供装置。
【請求項５】
前記エネルギー情報処理部は、前記機器別エネルギー情報を用いて前記機器の電力使用パターンの変化を認知して機器動作状態に対する情報を生成することを特徴とする、請求項１に記載のエネルギー情報提供装置。
【請求項６】
前記エネルギー情報処理部は、前記機器別エネルギー情報を用いて前記機器の各々または前記機器の組み合わせによって形成されるユーザ行動パターンを認識し、  前記認識された行動パターンを通じて前記エネルギー使用情報を生成することを特徴とする、請求項１に記載のエネルギー情報提供装置。
【請求項７】
前記エネルギー情報提供装置は前記エネルギー関連情報、前記統合エネルギー情報および前記機器別エネルギー情報をデータベース化して格納するエネルギー情報格納部をさらに含み、  前記エネルギー情報処理部は前記エネルギー情報格納部から伝達された前記エネルギー関連情報、前記統合エネルギー情報および前記機器別エネルギー情報を用いて前記エネルギー使用情報を生成することを特徴とする、請求項１に記載のエネルギー情報提供装置。
【請求項８】
エネルギー関連情報を収集し、収集されたエネルギー関連情報を用いて機器を分類して統合エネルギー情報から前記機器の機器別エネルギー情報を抽出するエネルギー関連の情報収集装置、  前記抽出された機器別エネルギー情報を用いて前記機器のエネルギー使用情報を生成してユーザ端末に送信するエネルギー情報提供装置、および  前記エネルギー使用情報を受信してユーザに表示するユーザ端末を含むことを特徴とするエネルギー情報処理システム。
【請求項９】
収集されたエネルギー関連情報を用いた機器の分類に応じて、統合エネルギー情報から抽出された前記機器の機器別エネルギー情報を用いて生成された前記機器のエネルギー使用情報を受信する受信部、および  前記受信されたエネルギー使用情報をユーザに表示するディスプレイ部を含むことを特徴とするユーザ端末。
【請求項１０】
エネルギー関連情報を収集するエネルギー関連情報収集部、  前記収集されたエネルギー関連情報を用いて機器を分類して統合エネルギー情報から前記機器の機器別エネルギー情報を抽出する機器別エネルギー情報抽出部、および  前記抽出された機器別エネルギー情報を、エネルギー使用情報を提供するためのエネルギー情報提供装置に送信する送信部を含むことを特徴とするエネルギー関連の情報収集装置。
【請求項１１】
前記機器別エネルギー情報抽出部は、収集される電圧、電流、電力情報を含む基本エネルギー情報と、前記電圧、電流自体の高調波、ノイズ、過度状態および正常状態の情報を含む付加エネルギー情報を用いるサンプリング過程によって前記機器の予め決定された属性に応じて前記機器を分類することを特徴とする、請求項１０に記載のエネルギー関連の情報収集装置。
【請求項１２】
前記機器はエネルギー使用時に前記機器の識別のための識別コードを、前記エネルギー関連情報を提供する情報提供装置に送信し、  前記機器別エネルギー情報抽出部は前記機器を識別コードに応じて分類することを特徴とする、請求項１０に記載のエネルギー関連の情報収集装置。
【請求項１３】
収集されたエネルギー関連情報を用いた機器の分類に応じて、統合エネルギー情報から抽出された前記機器の機器別エネルギー情報の入力を受けるステップ、  前記機器別エネルギー情報を用いて前記機器のエネルギー使用情報を生成するステップ、および  前記生成されたエネルギー使用情報をユーザ端末に送信するステップを含むことを特徴とするエネルギー情報提供方法。
【請求項１４】
前記機器は前記エネルギー関連情報を用いるサンプリング過程によって前記機器の予め決定された属性に応じて分類され、  前記機器別エネルギー情報は複数の機器の組み合わせに対する電力エネルギー総量から前記機器の分類に応じて抽出されることを特徴とする、請求項１３に記載のエネルギー情報提供方法。
【請求項１５】
前記機器はエネルギー使用時に前記機器の識別のための識別コードを、前記エネルギー関連情報を収集する情報収集装置に送信し、  前記情報収集装置は前記機器を識別コードに応じて分類することを特徴とする、請求項１４に記載のエネルギー情報提供方法。
【手続補正２】
【補正対象書類名】明細書
【補正対象項目名】０００５
【補正方法】変更
【補正の内容】
【０００５】  前記技術的課題を解決するための本実施形態によるエネルギー情報提供装置は、収集されたエネルギー関連情報を用いた機器の分類に応じて、統合エネルギー情報から抽出された前記機器の機器別エネルギー情報の入力を受けるエネルギー情報入力部、前記機器別エネルギー情報を用いて前記機器のエネルギー使用情報を生成するエネルギー情報処理部、および前記生成されたエネルギー使用情報をユーザ端末に送信するエネルギー情報送信部を含む。
【手続補正３】
【補正対象書類名】明細書
【補正対象項目名】００４７
【補正方法】変更
【補正の内容】
【００４７】  エネルギー使用情報の生成ステップ（Ｓ２００）は、エネルギー情報処理部１３０が、機器別エネルギー情報を用いて機器のエネルギー使用情報を生成する。  エネルギー使用情報の送信ステップ（Ｓ３００）は、エネルギー情報送信部１４０が、生成されたエネルギー使用情報をユーザ端末３００に送信する。
【国際調査報告】
2016532196.tif 000008
2016532196.tif 000009
2016532196.tif 000010
2016532196.tif 000011